(57)【要約】【課題】互いに重ねられた３つ以上の樹脂製の光学素子同士を簡単に高い位置精度で固定できる光学素子の固定方法を得る。【解決手段】第１の光学素子Ｌを溶融させずに透過した第１のレーザ光ＬＲ１を第２の光学素子２０に照射して第２の光学素子を溶融させることにより、第２の光学素子と第１の光学素子を溶着するステップ、及び第ｎ―１の光学素子を溶融させずに透過した第ｎ−１のレーザ光ＬＲ２を第ｎの光学素子に照射して第ｎの光学素子３０を溶融させることにより、第ｎの光学素子と第ｎ−１の光学素子を溶着するステップ、を有する。【選択図】図１
2010032837.tif 000002
【特許請求の範囲】
【請求項１】
母材が樹脂材料からなりかつ透過可能なレーザ光の波長領域が互いに異なる第１の光学素子、第２の光学素子、第３の光学素子を、透過可能なレーザ光の波長領域が短い順に並べて、隣り合う光学素子どうしを、第１のレーザ光及び第１のレーザ光より波長が長い第２のレーザ光を利用して固定する固定方法において、
第１の光学素子を溶融させずに透過した上記第１のレーザ光を第２の光学素子に照射して該第２の光学素子を溶融させることにより、該第２の光学素子と第１の光学素子を溶着するステップ、及び
第２の光学素子を溶融させずに透過した第２のレーザ光を第３の光学素子に照射して該第３の光学素子を溶融させることにより、該第３の光学素子と第２の光学素子を溶着するステップ、
を有することを特徴とする光学素子の固定方法。
【請求項２】
請求項１記載の光学素子の固定方法において、
上記第１の光学素子をポリエステルまたはＰＭＭＡのみから構成し、
上記第２の光学素子をポリカーボネートにアンスラキノン系の色素を混入して構成し、
上記第３の光学素子をポリカーボネートにカーボンを混入して構成した光学素子の固定方法。
【請求項３】
請求項２記載の光学素子の固定方法において、
上記第１の光学素子がレンズ鏡筒の構成要素であるレンズであり、
上記第２の光学素子が上記レンズ鏡筒の構成要素をなす、上記レンズを支持するレンズ支持枠であり、
上記第３の光学素子が上記レンズ鏡筒の構成要素をなす、上記レンズ支持枠を支持するレンズ鏡枠である光学素子の固定方法。
【請求項４】
請求項３記載の光学素子の固定方法において、
上記レンズ支持枠が、上記レンズのコバ面を支持する環状部と、該環状部から径方向内側に突出し上記レンズの前面または後面と当接する支持当接部と、を有し、
上記レンズ鏡枠が、上記環状部と同軸をなしその内周面に上記環状部が嵌合される筒状部と、該筒状部から径方向内側に突出し上記環状部または上記支持当接部の前面または後面と当接する支持受光部とを有し、
上記第１のレーザ光が、上記レンズを上記レンズ鏡筒の長手方向に透過した後に上記レンズ支持枠の上記支持当接部に照射され、該支持当接部が溶融して上記レンズの前面または後面に溶着し、
上記第２のレーザ光が、上記レンズ支持枠の上記環状部を上記レンズ鏡筒の長手方向に透過した後に上記レンズ鏡枠の上記支持受光部に照射され、該支持受光部が溶融して上記環状部または上記支持当接部の前面または後面に溶着する光学素子の固定方法。
【請求項５】
請求項４記載の光学素子の固定方法において、
上記レンズ鏡筒の前方または後方に、上記第１のレーザ光を発射する第１のレーザ光源と上記第２のレーザ光を発射する第２のレーザ光源を配置し、
上記第１のレーザ光源からの第１のレーザの発射と上記第２のレーザ光源からの第２のレーザの発射を同時に行う光学素子の固定方法。
【請求項６】
請求項３記載の光学素子の固定方法において、
上記レンズ支持枠が、上記レンズのコバ面を支持する環状部と、該環状部から径方向内側に突出し上記レンズの前面または後面と当接する支持当接部と、を有し、
上記レンズ鏡枠が、上記環状部と同軸をなしその内周面に上記環状部が嵌合される筒状部と、該筒状部から径方向内側に突出し上記支持当接部の前面または後面と当接する支持受光部とを有し、
上記第１のレーザ光が、上記レンズを上記レンズ鏡筒の長手方向に透過した後に上記レンズ支持枠の上記支持当接部に照射され、該支持当接部が溶融して上記レンズの前面または後面に溶着し、
上記第２のレーザ光が、上記レンズ及び上記支持当接部の第１のレーザ光と同じ位置を透過した後に上記支持受光部の第１のレーザ光と同じ位置に照射され、該支持受光部が溶融して上記支持当接部の前面または後面に溶着する光学素子の固定方法。
【請求項７】
請求項６記載の光学素子の固定方法において、
上記レンズ鏡筒の前方または後方に、上記第１のレーザ光及び第２のレーザ光を切り替えながら発射可能な波長切替式レーザ光源を配置し、
該波長切替式レーザ光源から第１のレーザ光源及び第２のレーザ光源を切り替えながら交互に発射する光学素子の固定方法。
【請求項８】
請求項３から７のいずれか１項記載の光学素子の固定方法において、
上記第１のレーザ光及び第２のレーザ光を、周方向に等角度間隔で複数本照射する光学素子の固定方法。
【発明の詳細な説明】
【技術分野】
【０００１】
本発明は、互いに重ねられた３つ以上の樹脂製の光学素子どうしを固定するための光学素子の固定方法に関する。
【背景技術】
【０００２】
近年、携帯電話等のモバイル機器にはカメラが搭載されることが多い。このようなカメラにおいて、レンズをレンズ支持枠で支持し、このレンズ支持枠をレンズ鏡枠に固定することがある。
この場合、まずレンズとレンズ支持枠の間にＵＶ接着剤を塗布し、その後このＵＶ接着剤に紫外線を照射してＵＶ接着剤を硬化させることによりレンズとレンズ支持枠を固定する。次いで、レンズ支持枠とレンズ鏡枠の間にＵＶ接着剤を塗布し、その後このＵＶ接着剤に紫外線を照射してＵＶ接着剤を硬化させることによりレンズ支持枠をレンズ鏡枠に固定する。
【特許文献１】特開２００２-１０１１７号公報
【発明の開示】
【発明が解決しようとする課題】
【０００３】
モバイル機器のカメラは小型で画素ピッチが小さいため、レンズとレンズ鏡枠の間に要求される位置精度は極めて高い。
しかし上述のようにＵＶ接着剤を用いる場合、ＵＶ接着剤が硬化する際にＵＶ接着剤が収縮してしまうため、接着剤が収縮するとレンズとレンズ支持枠の位置及びレンズ支持枠とレンズ鏡枠の位置がずれてしまう。これらの位置がずれてしまうと、レンズのレンズ鏡枠に対する位置精度が低下し、得られる画像の品質が低下してしまう。
しかも、レンズとレンジ支持枠の間へのＵＶ接着剤の塗布作業（及びＵＶ接着剤の硬化作業）を完了した後に、レンズ支持枠とレンズ鏡枠の間へのＵＶ接着剤（及びＵＶ接着剤の硬化作業）を行うことになるので、作業に長時間を要していた。
【０００４】
本発明は、互いに重ねられた３つ以上の樹脂製の光学素子同士を簡単に高い位置精度で固定できる光学素子の固定方法を得ることを目的とする。
【課題を解決するための手段】
【０００５】
本発明は、母材が樹脂材料からなりかつ透過可能なレーザ光の波長領域が互いに異なる第１の光学素子、第２の光学素子、第３の光学素子を、透過可能なレーザ光の波長領域が短い順に並べて、隣り合う光学素子どうしを、第１のレーザ光及び第１のレーザ光より波長が長い第２のレーザ光を利用して固定する固定方法において、第１の光学素子を溶融させずに透過した上記第１のレーザ光を第２の光学素子に照射して該第２の光学素子を溶融させることにより、該第２の光学素子と第１の光学素子を溶着するステップ、及び第２の光学素子を溶融させずに透過した第２のレーザ光を第３の光学素子に照射して該第３の光学素子を溶融させることにより、該第３の光学素子と第２の光学素子を溶着するステップ、を有することを特徴としている。
【０００６】
例えば、上記第１の光学素子をポリエステルまたはＰＭＭＡのみから構成し、上記第２の光学素子をポリカーボネートにアンスラキノン系の色素を混入して構成し、上記第３の光学素子をポリカーボネートにカーボンを混入して構成することができる。
【０００７】
さらに、上記第１の光学素子をレンズ鏡筒の構成要素であるレンズとし、上記第２の光学素子を上記レンズ鏡筒の構成要素をなす、上記レンズを支持するレンズ支持枠とし、上記第３の光学素子を上記レンズ鏡筒の構成要素をなす、上記レンズ支持枠を支持するレンズ鏡枠としてもよい。
【０００８】
上記レンズ支持枠が、上記レンズのコバ面を支持する環状部と、該環状部から径方向内側に突出し上記レンズの前面または後面と当接する支持当接部と、を有し、上記レンズ鏡枠が、上記環状部と同軸をなしその内周面に上記環状部が嵌合される筒状部と、該筒状部から径方向内側に突出し上記環状部または上記支持当接部の前面または後面と当接する支持受光部とを有し、上記第１のレーザ光が、上記レンズを上記レンズ鏡筒の長手方向に透過した後に上記レンズ支持枠の上記支持当接部に照射され、該支持当接部が溶融して上記レンズの前面または後面に溶着し、上記第２のレーザ光が、上記レンズ支持枠の上記環状部を上記レンズ鏡筒の長手方向に透過した後に上記レンズ鏡枠の上記支持受光部に照射され、該支持受光部が溶融して上記環状部または上記支持当接部の前面または後面に溶着してもよい。
この場合は、上記レンズ鏡筒の前方または後方に、上記第１のレーザ光を発射する第１のレーザ光源と上記第２のレーザ光を発射する第２のレーザ光源を配置し、上記第１のレーザ光源からの第１のレーザの発射と上記第２のレーザ光源からの第２のレーザの発射を同時に行ってもよい。
【０００９】
また、上記レンズ支持枠が、上記レンズのコバ面を支持する環状部と、該環状部から径方向内側に突出し上記レンズの前面または後面と当接する支持当接部と、を有し、上記レンズ鏡枠が、上記環状部と同軸をなしその内周面に上記環状部が嵌合される筒状部と、該筒状部から径方向内側に突出し上記支持当接部の前面または後面と当接する支持受光部とを有し、上記第１のレーザ光が、上記レンズを上記レンズ鏡筒の長手方向に透過した後に上記レンズ支持枠の上記支持当接部に照射され、該支持当接部が溶融して上記レンズの前面または後面に溶着し、上記第２のレーザ光が、上記レンズ及び上記支持当接部の第１のレーザ光と同じ位置を透過した後に上記支持受光部の第１のレーザ光と同じ位置に照射され、該支持受光部が溶融して上記支持当接部の前面または後面に溶着するようにしてもよい。
この場合は、上記レンズ鏡筒の前方または後方に、上記第１のレーザ光及び第２のレーザ光を切り替えながら発射可能な波長切替式レーザ光源を配置し、該波長切替式レーザ光源から第１のレーザ光源及び第２のレーザ光源を切り替えながら交互に発射するようにしてもよい。
【００１０】
上記第１のレーザ光及び第２のレーザ光を、周方向に等角度間隔で複数本照射するのが好ましい。
【発明の効果】
【００１１】
本発明よれば、第１の光学素子、第２の光学素子、第３の光学素子同士を、第１のレーザ光と第２のレーザ光を利用して溶着（固定）できる。
しかも、総ての光学素子をレーザ光を利用して溶着するので、ＵＶ接着剤を利用する場合に比べて簡単かつ短時間のうちに固定できる。
【００１２】
請求項２のようにすれば、３つの光学素子どうしを簡単かつ短時間のうちに固定できる。
【００１３】
請求項３のようにすれば、本発明をレンズとレンズ支持枠とレンズ鏡枠を構成要素とするレンズ鏡筒に適用できる。
【００１４】
請求項４のようにすれば、レンズとレンズ支持枠とレンズ鏡枠をより簡単かつ確実に固定できるようになる。
【００１５】
請求項５のようにすれば、レンズとレンズ支持枠の固定作業とレンズ支持枠とレンズ鏡枠の固定作業を同時に行えるので、固定作業をきわめて迅速に組み立てることが可能である。
【００１６】
請求項６及び請求項７のようにすれば、第１のレーザ光と第２のレーザ光を、レンズ、レンズ支持枠及びレンズ鏡枠の同じ位置に照射できるので、レンズ、レンズ支持枠及びレンズ鏡枠のレーザ光の被照射面積がより小さくなる。さらに、レーザの照射位置を変える必要がない。従って、レンズ、レンズ支持枠及びレンズ鏡枠を小径化しても、レンズ、レンズ支持枠及びレンズ鏡枠を簡単かつ確実に固定できる。
【発明を実施するための最良の形態】
【００１７】
以下、図１から図３を利用して、本発明の第１の実施形態を説明する。以下の説明では図２の左側を「前方」とし右側を「後方」としている。
本実施形態は、本発明をレンズＬとレンズ支持枠２０とレンズ鏡枠３０を構成要素とするレンズ鏡筒１０Ａの各構成要素間の固定作業に適用した実施形態である。
レンズＬは、自身の光軸Ｏ（図２参照）を中心とする回転対称形状であり、外周部を除く前後両面が凸曲面をなしている。レンズＬの外周部の前後両面は光軸Ｏに対して直交する平面であり、その後面は環状当接面Ｌ１を構成している。このレンズＬはポリエステルのみ又はＰＭＭＡ（ポリメタクリル酸メチル樹脂）のみかなる樹脂製品であり、他の材料は混入していない。
【００１８】
レンズ支持枠２０は、環状（円筒形状）の環状部２１と、環状部２１の後端部から径方向内向きに突出する環状の支持当接部２２とを具備する環状部材である。レンズ支持枠２０は、自身の中心軸（図１及び図２においては光軸Ｏと一致している）を中心とする回転対称形状であり、環状部２１の内径はレンズＬの外径より僅かに大きい。支持当接部２２の前面は自身の中心軸に対して直交する環状受光面２３を構成し、環状部２１及び支持当接部２２の後面は環状受光面２３と平行な環状当接面２４を構成している。レンズ支持枠２０は母材であるポリカーボネートにアンスラキノン系の色素を混入した樹脂製品である。
レンズ鏡枠３０は、円筒形状の筒状部３１と、筒状部３１の後端部から径方向内向きに突出する環状の支持受光部３２とを具備する筒状部材である。レンズ鏡枠３０は、自身の中心軸（図１及び図２においては光軸Ｏと一致している）を中心とする回転対称形状であり、筒状部３１の内径はレンズ支持枠２０の外径より僅かに大きい。支持受光部３２の前面は自身の中心軸に対して直交する環状受光面３３を構成している。レンズ鏡枠３０は母材であるポリカーボネートにカーボン材料を混入したものであり、カーボン材料の影響で黒みがかっている。
【００１９】
次に、レンズＬ、レンズ支持枠２０及びレンズ鏡枠３０を互いに組み付ける要領について説明する。
まず、レンズ支持枠２０の前方から環状部２１の内部にレンズＬを嵌合し、レンズＬのコバ面を環状部２１で支持すると共にレンズＬの環状当接面Ｌ１をレンズ支持枠２０の環状受光面２３に当接させる。次いで、レンズ鏡枠３０の前方から筒状部３１の内部にこのレンズ支持枠２０を嵌合し（このとき筒状部３１と環状部２１が同軸をなす）、レンズ支持枠２０の環状当接面２４をレンズ鏡枠３０の環状受光面３３に当接させる。
次いで、このように仮組されたレンズ鏡筒１０Ａの前方に短波長レーザ光源（第１のレーザ光源）４０と長波長レーザ光源（第２のレーザ光源）５０を、図２に示すようにレンズ鏡筒１０Ａと同心をなすように配置する。短波長レーザ光源４０と長波長レーザ光源５０は共に正面円形の光源装置であり、長波長レーザ光源５０の方が短波長レーザ光源４０より大径である。短波長レーザ光源４０は、その後面に周方向に１２０°間隔で並ぶ３つの発射部４１（図２に２つのみ図示。なお、図２に示した発射部４１のうち下方のもの位置は本来の位置より下方に位置している。図２に示した発射部５１、図５に示した発射部８１も同様。）を備えており、各発射部４１から光軸Ｏと平行なレーザ光（短波長レーザ光ＬＲ１）を波長を４００〜７００ｎｍの範囲で調整しながら後方に発射可能である。一方、長波長レーザ光源５０はその後面に周方向に１２０°間隔で並ぶ３つの発射部５１（図２に２つのみ図示）を備えており、各発射部５１から光軸Ｏと平行なレーザ光（長波長レーザ光ＬＲ２）を波長を８００〜９５０ｎｍの範囲で調整しながら後方に発射可能である。
【００２０】
本実施形態では短波長レーザ光源４０の発射部４１及び長波長レーザ光源５０の発射部５１からそれぞれ短波長レーザ光（第１のレーザ光）ＬＲ１と長波長レーザ光（第２のレーザ光）ＬＲ２を後方に向けて同時に発射する。
すると、３本の短波長レーザ光ＬＲ１はレンズＬの外周部前面の３箇所（図１に符号ＬＰで示した部分）に照射される。図３は、レンズＬ、レンズ支持枠２０、及びレンズ鏡枠３０の電磁波に対する透過率を示すグラフである。この図３のグラフから明らかなように、レンズＬは４００〜７００ｎｍの波長帯である短波長レーザ光ＬＲ１を９０％程度透過させるので、短波長レーザ光ＬＲ１によってレンズＬが溶融することはない。レンズＬを透過した短波長レーザ光ＬＲ１は、レンズ支持枠２０の支持当接部２２の環状受光面２３の３箇所に照射される。図３のグラフに示すように、レンズ支持枠２０は４００〜７００ｎｍの波長帯である短波長レーザ光ＬＲ１を１０％以下しか透過させない（波長が７８０ｎｍを超える範囲についてはレンズＬとほぼ同じ透過率になる）。そのため、レンズ支持枠２０に吸収された短波長レーザ光ＬＲ１によって環状受光面２３の当該３箇所が溶融して溶融プールが形成されるので、透過側（レンズＬ）と吸収側（レンズ支持枠２０）の樹脂材料が混ざり合い、短波長レーザ光ＬＲ１の照射を止めると冷却されてレンズＬとレンズ支持枠２０が互いに溶着される。
【００２１】
一方、３本の長波長レーザ光ＬＲ２はレンズ支持枠２０の環状部２１の前面の３箇所（図１に符号２０Ｐで示した部分）に照射される。図３のグラフに示すように、レンズ支持枠２０は８００〜９５０ｎｍの波長帯である長波長レーザ光ＬＲ２を９０％程度透過させるので、長波長レーザ光ＬＲ２によってレンズ支持枠２０が溶融することはない。レンズ支持枠２０を透過した長波長レーザ光ＬＲ２は、レンズ鏡枠３０の支持受光部３２の環状受光面３３の３箇所に照射される。図３のグラフに示すように、レンズ鏡枠３０は８００〜９５０ｎｍの波長帯である長波長レーザ光ＬＲ２を全く透過させず（レンズ鏡枠３０の透過率は総ての波長の電磁波に対して０％である）完全に吸収される。従って、レンズ鏡枠３０に吸収された長波長レーザ光ＬＲ２によって環状受光面３３の当該３箇所が溶融して溶融プールが形成されるので、透過側（レンズ支持枠２０）と吸収側（レンズ鏡枠３０）の樹脂材料が混ざり合い、長波長レーザ光ＬＲ２の照射を止めると冷却されてレンズ支持枠２０とレンズ鏡枠３０が互いに溶着される。
【００２２】
以上説明したように、本実施形態ではレンズ支持枠２０が短波長レーザ光ＬＲ１の吸収と長波長レーザ光ＬＲ２の透過という２つの役割を果たしているので、レーザ光（短波長レーザ光ＬＲ１及び長波長レーザ光ＬＲ２）を利用してレンズＬとレンズ支持枠２０、及びレンズ支持枠２０とレンズ鏡枠３０をそれぞれ固定できる。
しかも、レーザ光を利用して固定しているので、レンズＬとレンズ支持枠２０の固定作業、及びレンズ支持枠２０とレンズ鏡枠３０の固定作業を簡単かつ確実に行うことができる。
【００２３】
さらに、レンズＬとレンズ支持枠２０の間、及びレンズ支持枠２０とレンズ鏡枠３０の間には僅かな隙間が形成されているが、ＵＶ接着剤を用いるときのように、ＵＶ接着剤の硬化時の収縮によりレンズ鏡筒１０Ａがレンズ支持枠２０に対して移動したり、レンズ支持枠２０がレンズ鏡枠３０に対して移動することがない。従って、高い位置精度でレンズＬをレンズ支持枠２０（及びレンズ鏡枠３０）に固定できる。
また、レンズ支持枠２０やレンズ鏡枠３０にＵＶ接着剤用のスペースを設ける必要がないため、レンズ支持枠２０やレンズ鏡枠３０の小型化が図れ、しかもレンズ支持枠２０やレンズ鏡枠３０の強度を高めることができる。また、固定強度もＵＶ樹脂接着に比べて高めることができる。
さらに、ＵＶ接着剤を用いる場合はレンズＬとレンズ支持枠２０の固定作業、及びレンズ支持枠２０とレンズ鏡枠３０の固定作業を同時に行うことは出来なかったが、本実施形態によればレンズＬとレンズ支持枠２０の固定作業とレンズ支持枠２０とレンズ鏡枠３０の固定作業を同時に行えるので、作業時間を大幅に短縮できる。
【００２４】
次に、図４及び図５を利用して本発明の第２の実施形態について説明する。なお、第１の実施形態と同じ部材には同じ符号を付すに止めて、その詳細な説明は省略する。
本実施形態のレンズＬは第１の実施形態のものと同一仕様（同一材質）である。レンズ支持枠６０とレンズ鏡枠７０は第１の実施形態のレンズ支持枠２０とレンズ鏡枠３０とは形状が若干異なるが、レンズ支持枠６０を構成する材料はレンズ支持枠２０と同じであり、レンズ鏡枠７０を構成する材料はレンズ鏡枠３０と同じである。
レンズ支持枠６０は自身の中心軸を中心とする回転対称形状であり、レンズ支持枠２０の環状部２１に相当する環状部６１と、支持当接部２２に相当する支持当接部６２と、環状受光面２３に相当する環状受光面６３を具備している。環状部６１の内径はレンズＬの外径より僅かに大きく、環状受光面６３はレンズ支持枠６０の中心軸に対して直交する環状の平面である。
レンズ鏡枠７０は自身の中心軸を中心とする回転対称形状であり、レンズ鏡枠３０の筒状部３１に相当する筒状部７１と、支持受光部３２に相当する支持受光部７２と、環状受光面３３に相当する環状受光面７３を具備している。筒状部７１の内径は環状部６１の外径より僅かに大きく、環状受光面７３はレンズ鏡枠７０の中心軸に対して直交する環状の平面である。
【００２５】
次に、レンズＬ、レンズ支持枠６０及びレンズ鏡枠７０を互いに組み付ける要領について説明する。
まず、レンズ支持枠６０の前方から環状部６１の内部にレンズＬを嵌合しレンズＬの環状当接面Ｌ１をレンズ支持枠６０の環状受光面６３に当接させる。次いで、レンズ鏡枠７０の前方から筒状部７１の内部にこのレンズ支持枠６０を嵌合し、レンズ支持枠６０の環状当接面６４をレンズ鏡枠７０の環状受光面７３に当接させる。
次いで、このように仮組されたレンズ鏡筒１０Ｂの前方に波長切替式レーザ光源８０を、図５に示すようにレンズ鏡筒１０Ｂと同心をなすように配置する。波長切替式レーザ光源８０は正面円形の装置であり、その後面に周方向に１２０°間隔で並ぶ３つの発射部８１（図５に２つのみ図示）を備えている。各発射部８１は、短波長レーザ光ＬＲ１（４００〜７００ｎｍの範囲内で波長を調整可能）と長波長レーザ光ＬＲ２（８００〜９５０ｎｍの範囲内で波長を調整可能）を切り替えながら交互に発射可能である。
【００２６】
本実施形態ではまず、波長切替式レーザ光源８０の各発射部８１から短波長レーザ光ＬＲ１を後方に向けて発射する。３本の短波長レーザ光ＬＲ１はレンズＬの外周部前面の３箇所（図４に符号ＬＰで示した部分）に照射される。図３のグラフに示すように、レンズＬは４００〜７００ｎｍの波長帯である短波長レーザ光ＬＲ１を９０％程度透過させるので、短波長レーザ光ＬＲ１によってレンズＬが溶融することはない。レンズＬを透過した短波長レーザ光ＬＲ１は、レンズ支持枠６０の支持当接部６２の環状受光面６３の３箇所に照射される。図３のグラフに示すように、レンズ支持枠６０は４００〜７００ｎｍの波長帯である短波長レーザ光ＬＲ１を１０％以下しか透過させない。そのため、レンズ支持枠６０に吸収された短波長レーザ光ＬＲ１によって環状受光面６３の当該３箇所が溶融して溶融プールが形成されるので、透過側（レンズＬ）と吸収側（レンズ支持枠６０）の樹脂材料が混ざり合い、短波長レーザ光ＬＲ１の照射を止めると冷却されてレンズＬとレンズ支持枠６０が互いに溶着される。
【００２７】
このようにレンズＬとレンズ支持枠６０の固定作業が完了したら、次に波長切替式レーザ光源８０の発射部８１から長波長レーザ光ＬＲ２を後方に向けて発射する。すると、３本の長波長レーザ光ＬＲ２は環状部６１の前面における短波長レーザ光ＬＲ１の照射位置と同じ３箇所（図４に符号ＬＰで示した部分）に照射される。図３のグラフに示すように、レンズＬ及びレンズ支持枠６０は８００〜９５０ｎｍの波長帯である長波長レーザ光ＬＲ２を９０％程度透過させるので、長波長レーザ光ＬＲ２によってレンズＬ及びレンズ支持枠６０が溶融することはない。レンズＬ及びレンズ支持枠６０を透過した長波長レーザ光ＬＲ２は、レンズ鏡枠７０の支持受光部７２の環状受光面７３の３箇所に照射される。図３のグラフに示すように、レンズ鏡枠７０は８００〜９５０ｎｍの波長帯である長波長レーザ光ＬＲ２を全く透過させず（透過率０％）完全に吸収する。従って、レンズ鏡枠７０に吸収された長波長レーザ光ＬＲ２によって環状受光面７３の当該３箇所が溶融して溶融プールが形成されるので、透過側（レンズ支持枠６０）と吸収側（レンズ鏡枠７０）の樹脂材料が混ざり合い、長波長レーザ光ＬＲ２の照射を止めると冷却されてレンズ支持枠６０とレンズ鏡枠７０が互いに溶着される。
【００２８】
このように第２の実施形態では、短波長レーザ光ＬＲ１と長波長レーザ光ＬＲ２をレンズＬ、レンズ支持枠６０及びレンズ鏡枠７０の同じ位置（符号ＬＰの位置）に照射できるので、レンズＬ、レンズ支持枠６０及びレンズ鏡枠７０に必要なレーザ光の被照射スペース（被照射面積）を小さくすることが可能である。さらに、短波長レーザ光ＬＲ１と長波長レーザ光ＬＲ２の照射位置を変える必要がない。従って、レンズＬ、レンズ支持枠６０及びレンズ鏡枠７０を小径化しても、レンズＬとレンズ支持枠６０及びレンズ支持枠６０とレンズ鏡枠７０を簡単かつ確実に固定できる。
【００２９】
さらに、第１及び第２の実施形態では、レンズＬの外径とレンズ支持枠２０（レンズ支持枠６０）の内径を略同一とし、レンズ鏡枠３０（レンズ鏡枠７０）の内径をレンズ支持枠２０（レンズ支持枠６０）の外径と略同一としたので、いわゆるディセンタ調整を行うことができない。しかし、レンズ鏡枠３０（レンズ鏡枠７０）の内径をレンズ支持枠２０（レンズ支持枠６０）の外径より肉眼で認識できる程度に大きくすれば、レンズ鏡枠３０（レンズ鏡枠７０）のレンズ支持枠２０（レンズ支持枠６０）のディセンタ調整が可能になり、ディセンタ調整を行った状態で、レンズ鏡枠３０（レンズ鏡枠７０）とレンズ支持枠２０（レンズ支持枠６０）をレーザ溶着（固定）できる。
【００３０】
さらに、各実施形態ではレンズＬの外周部の後面にレンズ支持枠２０（レンズ支持枠６０）の支持当接部２２（支持当接部６２）を当接させ、レンズ支持枠２０（レンズ支持枠６０）の支持当接部２２（支持当接部６２）の後面にレンズ鏡枠３０（レンズ鏡枠７０）の支持受光部３２（支持受光部７２）を当接させている。しかし、レンズ支持枠２０とレンズ支持枠６０の前端部に支持当接部２２と支持当接部６２を突設した上で、レンズＬの外周部の前面にレンズ支持枠２０（レンズ支持枠６０）の支持当接部２２（支持当接部６２）の後面を当接させ、さらにレンズ鏡枠３０とレンズ鏡枠７０の前端部に突設する支持受光部３２と支持受光部７２を突設した上で、レンズ支持枠２０（レンズ支持枠６０）の支持当接部２２（支持当接部６２）の前面にレンズ鏡枠３０（レンズ鏡枠７０）の支持受光部３２（支持受光部７２）の後面を当接させて、レンズ鏡筒１０Ａ（レンズ鏡筒１０Ｂ）の後方からレーザ光を照射してもよい。
【００３１】
また、第１の実施形態において長波長レーザ光ＬＲ２をレンズＬの外周部に照射し、レンズＬの外周部及びレンズ支持枠２０の支持当接部２２を透過した長波長レーザ光ＬＲ２をレンズ鏡枠３０の支持受光部３２に照射して、支持受光部３２の環状受光面３３と支持当接部２２の環状当接面２４を溶着してもよい。
さらに、短波長レーザ光源４０と長波長レーザ光源５０と波長切替式レーザ光源８０には周方向に等角度間隔で３つの発射部４１、発射部５１、発射部８１を設けたが、これらの数は３つでなくてもよい。これらの数を複数にする場合は、周方向に等角度間隔で配置し、レンズ鏡筒１０Ａ（レンズ鏡筒１０Ｂ）に周方向に等角度間隔度で照射するのが好ましい。
【００３２】
さらに、本実施形態は本発明をレンズ鏡筒の構成要素どうしの固定に利用したものであるが、レンズ鏡筒の構成要素以外の樹脂製の光学素子の固定に本発明を利用できるのは勿論である。
【００３３】
さらに、第１及び第２の実施形態では、３つの光学素子（レンズＬ、レンズ支持枠２０（レンズ支持枠６０）、レンズ鏡枠３０（レンズ鏡枠７０））を固定しているが、固定させる樹脂製の光学素子の数は４つ以上であってもよい。
例えば、光学素子の数がｎ個（ｎは３以上の整数）の場合、第２〜第ｎの光学素子を構成する母材をポリカーボネートにしかつ各光学素子に異なる物質を混入させることにより（光学素子の一つはレンズＬのように何も混入させなくてもよい）、各光学素子のレーザ光（電磁波）に対する透光性能（透過可能なレーザ光の波長領域）に差を設ける。そして、各光学素子を第１の光学素子、第２の光学素子、第３の光学素子・・・第ｎの光学素子の順（数が大きくなる順）に並べて（重ねて）、第１の光学素子側から第ｎの光学素子側に向けてレーザ光を照射する。この際使用するレーザ光は、第１のレーザ光、第２のレーザ光、・・・第ｎ−１のレーザ光のｎ−１種類であり、各レーザ光の波長は数字が大きくなるにつれて長くなるように設定する。そして、第１のレーザ光を、第１の光学素子は溶融させずに透過し、かつ第２の光学素子を溶融させる波長とし、この第１のレーザ光を第１の光学素子と第２の光学素子に照射する。さらに、第２のレーザ光を、第２の光学素子は溶融させずに透過し、かつ第３の光学素子を溶融させる波長とし、この第２のレーザ光を第２の光学素子と第３の光学素子に照射する。同様に、第ｎ−１のレーザ光を、第ｎ−１の光学素子は溶融させずに透過し、かつ第ｎの光学素子を溶融させる波長とし、この第ｎ−１のレーザ光を第ｎ−１の光学素子と第ｎの光学素子に照射する。
このようにすれば、４つ以上の樹脂製の光学素子どうしをレーザ光を利用して簡単かつ迅速に固定することが可能である。
なお、第ｎ−１のレーザ光が第ｎ−１の光学素子だけでなく第ｎ−１よりレーザ光源側に位置する光学素子（第ｎ−２の光学素子、第ｎ−３の光学素子・・・第１の光学素子）を溶融させずに透過するようにしてもよい。
【図面の簡単な説明】
【００３４】
【図１】本発明の第１の実施形態のレンズ鏡筒の正面図である。
【図２】図１のII−II線に沿う断面図である。
【図３】レンズ、レンズ支持枠、及びレンズ鏡枠それぞれの波長が異なる電磁波に対する透過率を示すグラフである。
【図４】本発明の第２の実施形態のレンズ鏡筒の正面図である。
【図５】図４のＶ−Ｖ線に沿う断面図である。
【符号の説明】
【００３５】
１０Ａ  １０Ｂ  レンズ鏡筒
２０    レンズ支持枠（第２の光学素子）
２１    環状部
２２    支持当接部
２３    環状受光面
２４    環状当接面
３０    レンズ鏡枠（第３の光学素子）
３１    筒状部
３２    支持受光部
３３    環状受光面
４０    短波長レーザ光源（第１のレーザ光源）
４１    発射部
５０    長波長レーザ光源（第２のレーザ光源）
５１    発射部
６０    レンズ支持枠（第２の光学素子）
６１    環状部
６２    支持当接部
６３    環状受光面
６４    環状当接面
７０    レンズ鏡枠（第３の光学素子）
７１    筒状部
７２    支持受光部
７３    環状受光面
８０    波長切替式レーザ光源
８１    発射部
Ｌ      レンズ（第１の光学素子）
Ｌ１    環状当接面
ＬＲ１  短波長レーザ光（第１のレーザ光）
ＬＲ２  長波長レーザ光（第２のレーザ光）
【図１】
2010032837.tif 000003
【図２】
2010032837.tif 000004
【図３】
2010032837.tif 000005
【図４】
2010032837.tif 000006
【図５】
2010032837.tif 000007